(57)【要約】【課題】正規購入者の端末装置に表示されたコンテンツを立ち読みできるとともに、著作権者にも正規購入者にもメリットを生じさせるコンテンツ販売システム、コンテンツ販売方法およびプログラムを提供すること。【解決手段】コンテンツ販売システム１は、コンテンツ販売装置１０と、第１の端末装置２０と、第２の端末装置３０と、がそれぞれインターネット２を介して接続された構成となっている。第２の端末装置３０は、インターネット２を介して各種データを送受信する送受信手段３１と、端末装置間で通信を行う近距離通信手段３２と、第１の端末装置２０からコンテンツの一部を購入する一部コンテンツ購入手段３３と、コンテンツ販売装置１０からコンテンツを購入する第２のコンテンツ購入手段３４と、を備えている。【選択図】図１
2012215931.tif 000002
【特許請求の範囲】
【請求項１】
コンテンツを販売するコンテンツ販売装置と、前記コンテンツを購入可能な複数の端末装置と、がネットワークを介してそれぞれ接続されたコンテンツ販売システムであって、
前記複数の端末装置は、近距離通信手段を備え、
前記複数の端末装置のうち第１の端末装置は、
前記コンテンツ販売装置から前記ネットワークを介して前記コンテンツを正規購入する第１のコンテンツ購入手段と、
前記購入したコンテンツを画面表示させる出力手段と、
前記複数の端末装置のうち第２の端末装置からの要求に応じて、前記出力手段により表示中の前記コンテンツの一部を前記近距離通信手段を介して前記第２の端末装置に送信する一部コンテンツ提供手段と、を備え、
前記第２の端末装置は、
前記第１の端末装置で表示中の前記コンテンツの取得要求をユーザ操作により受け付けるユーザ操作受付手段と、
前記ユーザ操作からの取得要求に応じて、前記第１の端末装置に対して前記近距離通信を介して前記コンテンツの一部を取得するとともに、前記コンテンツの一部に対する報酬を支払う一部コンテンツ購入手段を備え、
前記コンテンツ販売装置は、
前記複数の端末装置に対して前記コンテンツを販売するコンテンツ販売手段を備え、
前記第１の端末装置および前記コンテンツ販売装置のうちいずれか一方は、前記第２の端末装置に前記コンテンツの一部を提供したことに対する報酬を前記第２の端末装置から取得して管理する報酬管理手段を備える
ことを特徴とするコンテンツ販売システム。
【請求項２】
請求項１に記載のコンテンツ販売システムにおいて、
前記一部コンテンツ提供手段は、
前記コンテンツの一部とともに、当該コンテンツの販売元となるコンテンツ販売装置への接続情報を前記第２の端末装置に送信し、
前記第２の端末装置は、
前記接続情報に基づいて当該コンテンツ販売装置へ接続して、当該コンテンツを正規購入する第２のコンテンツ購入手段を備える
ことを特徴とするコンテンツ販売システム。
【請求項３】
請求項１または請求項２に記載のコンテンツ販売システムにおいて、
前記報酬管理手段は、前記第２の端末装置から取得した報酬の一部を、前記第１の端末装置および前記コンテンツ販売装置のうちいずれか他方に分配し、
前記いずれか他方は、前記報酬の一部を取得する報酬取得手段を備える
ことを特徴とするコンテンツ販売システム。
【請求項４】
請求項３に記載のコンテンツ販売システムにおいて、
前記報酬管理手段は、前記コンテンツ販売装置に備えられ、
前記一部コンテンツ購入手段は、前記ネットワークを介して前記コンテンツ販売装置に対して前記報酬を支払い、
前記報酬管理手段は、取得した前記報酬の一部を前記ネットワークを介して前記第１の端末装置へ分配し、
前記第１の端末装置の前記報酬取得手段は、前記報酬の一部を取得する
ことを特徴とするコンテンツ販売システム。
【請求項５】
請求項３に記載のコンテンツ販売システムにおいて、
前記報酬管理手段は、前記第１の端末装置に備えられ、
前記一部コンテンツ購入手段は、前記近距離通信手段を介して前記第１の端末装置に対して前記報酬を支払い、
前記報酬管理手段は、取得した前記報酬の一部を前記ネットワークを介して前記コンテンツ販売装置へ分配し、
前記コンテンツ販売装置の前記報酬取得手段は、前記報酬の一部を取得する
ことを特徴とするコンテンツ販売システム。
【請求項６】
コンテンツを販売するコンテンツ販売装置と、前記コンテンツを購入可能な複数の端末装置と、がネットワークを介してそれぞれ接続されたコンテンツ販売システムで実行されるコンテンツ販売方法であって、
前記複数の端末装置は、近距離通信手段を備え、
前記複数の端末装置のうち第１の端末装置が、前記コンテンツ販売装置から前記ネットワークを介して前記コンテンツを購入するステップと、
前記第１の端末装置が、前記購入したコンテンツの一部を出力手段により画面表示させるステップと、
前記複数の端末装置のうち第２の端末装置が、前記第１の端末装置に表示されたコンテンツを前記近距離通信手段を介して要求するステップと、
前記第１の端末装置が、前記第２の端末装置からの要求に応じて前記出力手段により表示中の前記コンテンツの一部を前記近距離通信手段を介して前記第２の端末装置に送信するステップと、
前記第２の端末装置が、取得した前記コンテンツの一部に対する報酬を前記第１の端末装置または前記コンテンツ販売装置に対して支払うステップと、
前記第１の端末装置または前記コンテンツ販売装置が前記報酬を取得するステップと、を実行する
ことを特徴とするコンテンツ販売方法。
【請求項７】
コンテンツを販売するコンテンツ販売装置にネットワークを介して接続された近距離通信手段を有する端末装置のコンピュータを機能させるプログラムであって、
前記コンピュータを、
前記コンテンツ販売装置から前記ネットワークを介して前記コンテンツを購入する第１のコンテンツ購入手段と、
前記購入したコンテンツを画面表示させる出力手段と、
他の端末装置からの要求に応じて、前記出力手段により表示中の前記コンテンツの一部を前記近距離通信手段を介して前記他の端末装置に送信する一部コンテンツ提供手段として機能させる
ことを特徴とするプログラム。
【請求項８】
コンテンツを販売するコンテンツ販売装置にネットワークを介して接続された近距離通信手段を有する端末装置のコンピュータを機能させるプログラムであって、
前記コンピュータを、
他の端末装置で表示中の前記コンテンツの取得要求をユーザ操作により受け付けるユーザ操作受付手段と、
前記ユーザ操作からの取得要求に応じて、前記他の端末装置に対して前記近距離通信を介して前記コンテンツの一部を取得するとともに、前記コンテンツの一部に対する報酬を支払う一部コンテンツ購入手段として機能させる
ことを特徴とするプログラム。
【発明の詳細な説明】
【技術分野】
【０００１】
本発明は、販売したコンテンツを広告媒体として利用するコンテンツ販売システム、コンテンツ販売方法およびプログラムに関する。
【背景技術】
【０００２】
従来、音楽や映像、電子書籍などのデジタルコンテンツを販売サイトから自身の端末装置にダウンロードしたり、自身の端末装置で閲覧したりするために、著作権者に対してライセンス料を支払う販売形態が知られている（例えば、特許文献１参照）。
特許文献１では、ユーザが電子書籍販売システムから購入したコンテンツを閲覧できるように、ユーザの携帯電話機を読書装置として動作させる技術が記載されている。
【先行技術文献】
【特許文献】
【０００３】
【特許文献１】特開２００９−２０５３１９号公報
【発明の概要】
【発明が解決しようとする課題】
【０００４】
特許文献１のように、正規購入したユーザの携帯電話機で閲覧できるようになったコンテンツは電子データであることから、他のユーザとの間での共有も可能となる。しかしながら、他のユーザの端末装置に正規購入者の携帯電話機からコンテンツをダウンロード
できてしまうと、著作権者にライセンス料が支払われないという問題が発生する。
また、モバイル端末の普及に伴い、他のユーザが携帯電話等で閲覧している電子書籍を目にする機会も増え、その電子書籍を自身の端末で閲覧したいという要望もある。
【０００５】
本発明の目的は、正規購入者の端末装置に表示されたコンテンツを取得できるとともに、著作権者にも正規購入者にもメリットを生じさせるコンテンツ販売システム、コンテンツ販売方法およびプログラムを提供することである。
【課題を解決するための手段】
【０００６】
本発明のコンテンツ販売システムは、コンテンツを販売するコンテンツ販売装置と、前記コンテンツを購入可能な複数の端末装置と、がネットワークを介してそれぞれ接続されたコンテンツ販売システムであって、前記複数の端末装置は、近距離通信手段を備え、前記複数の端末装置のうち第１の端末装置は、前記コンテンツ販売装置から前記ネットワークを介して前記コンテンツを正規購入する第１のコンテンツ購入手段と、前記購入したコンテンツを画面表示させる出力手段と、前記複数の端末装置のうち第２の端末装置からの要求に応じて、前記出力手段により表示中の前記コンテンツの一部を前記近距離通信手段を介して前記第２の端末装置に送信する一部コンテンツ提供手段と、を備え、前記第２の端末装置は、前記第１の端末装置で表示中の前記コンテンツの取得要求をユーザ操作により受け付けるユーザ操作受付手段と、前記ユーザ操作からの取得要求に応じて、前記第１の端末装置に対して前記近距離通信を介して前記コンテンツの一部を取得するとともに、前記コンテンツの一部に対する報酬を支払う一部コンテンツ購入手段を備え、前記コンテンツ販売装置は、前記複数の端末装置に対して前記コンテンツを販売するコンテンツ販売手段を備え、前記第１の端末装置および前記コンテンツ販売装置のうちいずれか一方は、前記第２の端末装置に前記コンテンツの一部を提供したことに対する報酬を前記第２の端末装置から取得して管理する報酬管理手段を備えることを特徴とする。
【０００７】
この発明では、第１の端末装置は、コンテンツ販売装置からコンテンツを正規購入し、当該コンテンツを出力手段で閲覧することができる。また、第２の端末装置のユーザは、第１の端末装置に表示されたコンテンツを見て、当該コンテンツを閲覧したい場合は、第２の端末装置を入力操作することで、第２の端末装置が近距離通信手段を介して第１の端末装置に接続し、第１の端末装置で表示中のコンテンツを取得することができる。したがって、第２の端末装置のユーザは、自身の第２の端末装置でコンテンツの一部を閲覧することができる。そして、第２の端末装置は、取得したコンテンツの一部に対する報酬を、第１の端末装置またはコンテンツ販売装置に対して支払う。
【０００８】
このように、ユーザは、他の端末装置に表示されたコンテンツを閲覧したい場合は簡単にそのコンテンツの一部を取得して閲覧することができるので、ユーザにとって利便性が高い。また、第２の端末装置はコンテンツの一部を取得したことに対する報酬を支払うため、これらの報酬を当該コンテンツの著作権者や、広告媒体として機能した第１の端末装置に支払うことができる。したがって、著作権者や正規購入者にもメリットが生じる。
【０００９】
本発明のコンテンツ販売システムにおいて、前記一部コンテンツ提供手段は、前記コンテンツの一部とともに、当該コンテンツの販売元となるコンテンツ販売装置への接続情報を前記第２の端末装置に送信し、前記第２の端末装置は、前記接続情報に基づいて当該コンテンツ販売装置へ接続して、当該コンテンツを正規購入する第２のコンテンツ購入手段を備えることが好ましい。
【００１０】
この発明では、第２の端末装置が第１の端末装置からコンテンツの一部を取得する際、コンテンツの販売元となるコンテンツ販売装置への接続情報も取得するため、第２の端末装置では、コンテンツ販売装置へ接続して当該コンテンツを正規購入することができる。したがって、コンテンツの一部を他の端末装置から取得して閲覧したユーザが、さらにそのコンテンツの他の部分を閲覧したい場合は、簡単にコンテンツを購入することができ、ユーザにとって利便性が高い。
また、第２の端末装置がコンテンツ販売装置からコンテンツを正規購入することができるので、著作権者にとってもライセンス収入となりメリットがある。このように、第１の端末装置２０が広告媒体となり、コンテンツの販売を促進することができる。
【００１１】
本発明のコンテンツ販売システムにおいて、前記報酬管理手段は、前記第２の端末装置から取得した報酬の一部を、前記第１の端末装置および前記コンテンツ販売装置のうちいずれか他方に分配し、前記いずれか他方は、前記報酬の一部を取得する報酬取得手段を備えることが好ましい。
【００１２】
この発明では、報酬管理手段は、コンテンツ販売装置および第１の端末装置のうちいずれか一方に備えられている。報酬管理手段は、第２の端末装置から支払われた報酬の全額を取得し、コンテンツ販売装置と第１の端末装置とに分配する。具体的に、コンテンツ販売システムが報酬管理手段を備えている場合は、コンテンツ販売装置が第２の端末装置からネットワークを介して報酬の全額を取得した後、取得した報酬の一部をネットワークを介して第１の端末装置に分配する。また、第１の端末装置が報酬管理手段を備えている場合は、第１の端末装置が第２の端末装置から近距離通信手段を介して報酬の全額を取得した後、取得した報酬の一部をネットワークを介してコンテンツ販売装置に分配する。
【００１３】
このように、第２端末装置から支払われた報酬は、コンテンツ販売装置と第１の端末装置とに分配される。コンテンツ販売装置に分配された報酬は著作権者に支払われ、著作権者のライセンス収入となり、著作権者にメリットが生じる。また、第１の端末装置に分配された報酬は、コンテンツの正規購入者のアフィリエイト収入となり、正規購入者にメリットが生じる。そして、正規購入者は、アフィリエイト収入を得ることができるため、正規購入したコンテンツを周囲の人に見えるようにするなど、広告媒体として十分に機能させるようになる。したがって、広告効果をさらに向上させることができる。
【００１４】
本発明のコンテンツ販売システムにおいて、前記報酬管理手段は、前記コンテンツ販売装置に備えられ、前記一部コンテンツ購入手段は、前記ネットワークを介して前記コンテンツ販売装置に対して前記報酬を支払い、前記報酬管理手段は、取得した前記報酬の一部を前記ネットワークを介して前記第１の端末装置へ分配し、前記第１の端末装置の前記報酬取得手段は、前記報酬の一部を取得することが好ましい。
【００１５】
この発明では、上述したように、第２端末装置が支払った報酬がコンテンツ販売装置と第１の端末装置とに分配されるため、コンテンツの著作権者にも正規購入者にもメリットが生じる。
【００１６】
本発明のコンテンツ販売システムにおいて、前記報酬管理手段は、前記第１の端末装置に備えられ、前記一部コンテンツ購入手段は、前記近距離通信手段を介して前記第１の端末装置に対して前記報酬を支払い、前記報酬管理手段は、取得した前記報酬の一部を前記ネットワークを介して前記コンテンツ販売装置へ分配し、前記コンテンツ販売装置の前記報酬取得手段は、前記報酬の一部を取得することが好ましい。
【００１７】
この発明では、上述したように、第２端末装置が支払った報酬がコンテンツ販売装置と第１の端末装置とに分配されるため、コンテンツの著作権者にも正規購入者にもメリットが生じる。
【００１８】
本発明のコンテンツ販売方法は、コンテンツを販売するコンテンツ販売装置と、前記コンテンツを購入可能な複数の端末装置と、がネットワークを介してそれぞれ接続されたコンテンツ販売システムで実行されるコンテンツ販売方法であって、前記複数の端末装置は、近距離通信手段を備え、前記複数の端末装置のうち第１の端末装置が、前記コンテンツ販売装置から前記ネットワークを介して前記コンテンツを購入するステップと、前記第１の端末装置が、前記購入したコンテンツの一部を出力手段により画面表示させるステップと、前記複数の端末装置のうち第２の端末装置が、前記第１の端末装置に表示されたコンテンツを前記近距離通信手段を介して要求するステップと、前記第１の端末装置が、前記第２の端末装置からの要求に応じて前記出力手段により表示中の前記コンテンツの一部を前記近距離通信手段を介して前記第２の端末装置に送信するステップと、前記第２の端末装置が、取得した前記コンテンツの一部に対する報酬を前記第１の端末装置または前記コンテンツ販売装置に対して支払うステップと、前記第１の端末装置または前記コンテンツ販売装置が前記報酬を取得するステップと、を実行することを特徴とする。
【００１９】
この発明では、第２の端末装置のユーザは、第１の端末装置に表示されたコンテンツを閲覧したい場合は簡単にそのコンテンツの一部を取得することができるので、ユーザにとって利便性が高い。また、第２の端末装置はコンテンツの一部を取得したことに対する報酬を支払うため、これらの報酬を当該コンテンツの著作権者や、広告媒体として機能した第１の端末装置に支払うことができる。したがって、著作権者や正規購入者にもメリットが生じる。
【００２０】
本発明のプログラムは、コンテンツを販売するコンテンツ販売装置にネットワークを介して接続された近距離通信手段を有する端末装置のコンピュータを機能させるプログラムであって、前記コンピュータを、前記コンテンツ販売装置から前記ネットワークを介して前記コンテンツを購入する第１のコンテンツ購入手段と、前記購入したコンテンツを画面表示させる出力手段と、他の端末装置からの要求に応じて、前記出力手段により表示中の前記コンテンツの一部を前記近距離通信手段を介して前記他の端末装置に送信する一部コンテンツ提供手段として機能させることを特徴とする。
【００２１】
この発明では、コンピュータを前述の第１の端末装置として機能させるため、このプログラムをインストールするだけの簡単な構成で、前述と同様の作用効果を得ることができ、有用性が高い。
【００２２】
本発明のプログラムは、コンテンツを販売するコンテンツ販売装置にネットワークを介して接続された近距離通信手段を有する端末装置のコンピュータを機能させるプログラムであって、前記コンピュータを、他の端末装置で表示中の前記コンテンツの取得要求をユーザ操作により受け付けるユーザ操作受付手段と、前記ユーザ操作からの取得要求に応じて、前記他の端末装置に対して前記近距離通信を介して前記コンテンツの一部を取得するとともに、前記コンテンツの一部に対する報酬を支払う一部コンテンツ購入手段として機能させることを特徴とする。
【００２３】
この発明では、コンピュータを前述の第２の端末装置として機能させるため、このプログラムをインストールするだけの簡単な構成で、前述と同様の作用効果を得ることができ、有用性が高い。
【図面の簡単な説明】
【００２４】
【図１】本発明の第１実施形態にかかるコンテンツ販売システムの構成を示すブロック図。
【図２】前記コンテンツ販売システムの動作を示すフローチャート。
【図３】前記コンテンツ販売システムにおける第２の端末装置に表示された画面を示す概略図。
【発明を実施するための形態】
【００２５】
以下、本発明の実施形態を図面に基づいて説明する。
＜第１実施形態＞
コンテンツ販売システム１は、図１に示すように、コンテンツを販売するコンテンツ販売装置１０と、第１の端末装置２０と、第２の端末装置３０と、がそれぞれインターネット２を介して接続された構成となっている。ここで、コンテンツ販売装置１０は、複数の端末装置に接続されており、複数の端末装置のうちコンテンツ販売装置１０からコンテンツを正規購入した端末装置を第１の端末装置２０とし、第１の端末装置２０にアクセスしてコンテンツを取得する端末装置を第２の端末装置３０とする。
また、以降の説明において、第２の端末装置３０が第１の端末装置２０からコンテンツの一部を取得することを立ち読みと表現することもある。
【００２６】
以下、各構成について詳述する。
インターネット２はＴＣＰ／ＩＰなどの汎用のプロトコルに基づくインターネットであるが、これに限られない。例えば、無線媒体により情報が送受信可能な複数の基地局がネットワークを構成する通信回線網などのネットワークなど、データを送受信させるいずれの構成も利用できる。
【００２７】
コンテンツ販売装置１０は、ハードウェア構成として、ＲＡＭ（Random Access Memory）やＲＯＭ（Read Only Memory）等の記憶手段と、ＣＰＵ（Central Processing Unit）等の制御手段と、を備えている。ＲＡＭはデータなどを一時的に記憶できる一時領域などを有しており、ＲＯＭはＯＳ（Operating System:基本ソフトウェア）や各種サーバを制御するプログラム、各種アプリケーション、各種データ等が格納されている。ＣＰＵは、これらの記憶手段に格納されているプログラムを読み出し、このプログラムに従って各種処理を行う。
【００２８】
コンテンツ販売装置１０の記憶手段には、図１に示すように、コンテンツデータベース１０１と、課金データベース１０２と、が記憶されている。
コンテンツデータベース１０１は、コンテンツ販売装置１０が提供する販売サイトに掲載されるコンテンツに関するデータが記憶されている。例えば、以下の表１に示すように、コンテンツ名と、コンテンツの正規代金と、コンテンツデータと、が関連付けられて１つのレコードとして記憶されたテーブル構造となっている。ここで、コンテンツデータとしては、文字コンテンツを含む画像データ、音声データ等が挙げられるが、以下の表１では便宜的に「データ１」「データ２」…と記載する。なお、項目はここに列挙したものに限られず、コンテンツに関するものであればその他の項目を適宜追加してもよい。
【００２９】
【表１】
2012215931.tif 000003
【００３０】
課金データベース１０２は、コンテンツの正規購入者および立ち読みしたユーザに対する課金情報が記憶されている。例えば、以下の表２に示すように、ユーザを識別するユーザＩＤと、ユーザが購入したコンテンツの名称と、コンテンツの正規代金と、立ち読み課金額と、報酬額と、が関連付けられて１つのレコードとして記憶されたテーブル構造となっている。ユーザＩＤは、図示しないユーザデータベースに記憶されたユーザＩＤと関連付けられており、ユーザ登録をした端末装置に一意に付与されたものである。コンテンツ名および正規課金額は、コンテンツデータベース１０１のコンテンツ名および正規代金に関連付けられている。立ち読み課金額は、正規購入者である第１の端末装置２０から第２の端末装置３０がコンテンツの一部を取得する際に課金される金額である。報酬額は、第２の端末装置３０が支払った課金額のうち、該当するユーザＩＤの端末装置に分配された金額である。
【００３１】
すなわち、以下の表２において、ユーザＩＤ「000011」の第１の端末装置２０に対して、「月刊○○３月号」の「６００円」を課金したことを意味する。また、ユーザＩＤ「000012」の第２の端末装置３０に対して、「月刊○○３月号」を立ち読みしたことに対する立ち読み課金額として「５円」を課金し、そのうちの「３円」を報酬として取得したことを意味する。なお、項目はここに列挙したものに限られず、例えば支払方法等の課金に関する情報であれば、その他の項目を適宜追加してもよい。
【００３２】
【表２】
2012215931.tif 000004
【００３３】
また、コンテンツ販売装置１０は、制御手段の機能構成として、ネットワークを介して各種データを送受信する送受信手段１１と、販売サイト等によりコンテンツを販売するコンテンツ販売手段１２と、第２の端末装置３０からの報酬を取得する第１の報酬取得手段１３と、を備えている。本実施形態では、第２の端末装置３０から支払われる報酬の全額が、コンテンツ販売装置１０に支払われた後、第１の端末装置２０に分配される。したがって、本実施形態では、コンテンツ販売装置１０の第１の報酬取得手段１３が、本発明の報酬管理手段として機能する。
【００３４】
送受信手段１１は、インターネット２を介して接続された各種装置と各種データの送受信を行う。以降説明する各手段のインターネット２を介したデータのやり取りは、この送受信手段１１を介して行われるものである。
コンテンツ販売手段１２は、コンテンツデータベース１０１に記憶されているコンテンツを販売する処理を行う。具体的には、コンテンツが掲載された販売サイトを提供し、販売サイトを閲覧したユーザ（端末装置）からの要求に応じて、要求されたコンテンツのデータをユーザの端末装置に送信するとともに、課金処理を行う。課金処理は、購入したユーザのユーザＩＤ，購入したコンテンツ名、その正規代金と、を関連付けて課金データベース１０２に記憶させ、これらの課金情報を購入したユーザの端末装置に送信する。
【００３５】
第１の報酬取得手段１３は、後述する第２の端末装置３０から支払われる立ち読み課金額を報酬として取得し、取得した報酬の一部を第１の端末装置２０に分配する。第２の端末装置から立ち読み課金額が支払われる際、第２の端末装置３０のユーザＩＤと対象となるコンテンツの名称と、第２の端末装置３０のコンテンツの取得先である第１の端末装置２０のユーザＩＤと、が送信されてくる。第１の報酬取得手段１３は、第１の端末装置２０のユーザＩＤに基づいて分配先となる端末装置を特定することができる。また、第１の報酬取得手段１３は、第２の端末装置３０から取得した立ち読み課金額のうち第１の端末装置２０への分配分を引いた金額を、コンテンツ販売装置１０の報酬として取得する。そして、第２の端末装置３０のユーザＩＤと、対象となるコンテンツの名称と、第２の端末装置３０から取得した立ち読み課金額と、コンテンツ販売装置１０が取得した報酬額と、を関連付けて課金データベース１０２に記憶させる。
【００３６】
第１の端末装置２０としては、例えば、携帯電話、スマートフォン、モバイルコンピュータなどを使用することができ、ＲＡＭ（Random Access Memory）やＲＯＭ（Read Only Memory）等の記憶手段と、ＣＰＵ（Central Processing Unit）等の制御手段と、を備えている。ＲＡＭおよびＲＯＭには、各種制御を行うプログラム、各種アプリケーション、各種データ等が格納されており、ＣＰＵはこれらの記憶手段に格納されているプログラムを読み出し、このプログラムに従って各種処理を行う。また、第１の端末装置２０は、図示しないが、ディスプレイ等の出力手段と、キーボード、タッチパネル等の入力手段と、を備えている。
【００３７】
第１の端末装置２０の記憶手段には、購入コンテンツデータベース２０１と立ち読み課金データベース２０２と、が記憶されている。
購入コンテンツデータベース２０１は、コンテンツ販売装置１０から正規購入したコンテンツに関するデータが記憶されている。例えば、以下の表３に示すように、正規購入したコンテンツ名と、コンテンツの販売元アドレスと、コンテンツの正規代金と、コンテンツデータと、が関連付けられて１つのレコードとして記憶されたテーブル構造となっている。販売元アドレスは、コンテンツを購入した販売サイトのアドレスや、販売元のメールアドレス等が記憶されている。なお、項目はここに列挙したものに限られず、その他の項目を適宜追加してもよい。
【００３８】
【表３】
2012215931.tif 000005
【００３９】
立ち読み課金データベース２０２には、コンテンツの一部を提供した他の端末装置に関する情報が記憶されている。例えば、以下の表４に示すように、立ち読みユーザＩＤと、コンテンツ名と、立ち読み課金額と、報酬額と、が関連付けられて１つのレコードとして記憶されたテーブル構造となっている。立ち読みユーザＩＤは、コンテンツの一部を提供した先の端末装置のユーザＩＤであり、コンテンツ名は当該端末装置に提供したコンテンツの名称であり、立ち読み課金額は、当該端末装置に課金された金額である。報酬額は、当該端末装置に課金した金額のうち、第１の端末装置２０が得たアフィリエイト収入の金額である。なお、項目はここに列挙したものに限られず、その他の項目を適宜追加してもよい。
【００４０】
【表４】
2012215931.tif 000006
【００４１】
また、第１の端末装置２０は、制御手段の機能構成として、インターネット２を介して各種データを送受信する送受信手段２１と、端末装置間で通信を行う近距離通信手段２２と、コンテンツ販売装置１０からコンテンツを購入する第１のコンテンツ購入手段２３と、他の端末装置に対してコンテンツの一部を提供する一部コンテンツ提供手段２４と、第２の端末装置３０から支払われる報酬を取得する第２の報酬取得手段２５と、を備えている。
【００４２】
送受信手段２１は、インターネット２を介して接続された各種装置と各種データの送受信を行う。以降説明する各手段のインターネット２を介したデータのやり取りは、この送受信手段１１を介して行われるものである。
近距離通信手段２２は、予め決められた範囲内の他の端末装置との通信を可能にし、第２の端末装置３０との通信を行う。
【００４３】
第１のコンテンツ購入手段２３は、コンテンツ販売装置１０が提供する販売サイトにアクセスし、ユーザ操作により購入要求のあったコンテンツの購入処理を行う。具体的には、第１の端末装置２０のユーザＩＤと、対象となるコンテンツと、を販売サイトを介してコンテンツ販売装置１０に送信する。そして、コンテンツ販売装置１０のコンテンツ販売手段１２により課金情報が送信されてくると、この課金情報に基づいて支払処理を行う。支払処理は、オンラインでのクレジット決済やユーザによる銀行振込等の一般的に用いられる手法により行われる。また、取得した課金情報に基づいて、購入したコンテンツの名称、当該コンテンツの販売元アドレス（コンテンツ販売装置１０が提供する販売サイトのアドレス等）、当該コンテンツの正規代金、および購入したコンテンツデータを関連付けて購入コンテンツデータベース２０１に記憶させる。
【００４４】
一部コンテンツ提供手段２４は、第２の端末装置３０からの要求に応じて、ディスプレイに表示中のコンテンツを、近距離通信手段２２を介して第２の端末装置３０に提供する。第２の端末装置３０に提供するのは、例えば、ディスプレイに表示されているページのみであり、コンテンツの一部となる。また、一部コンテンツ提供手段２４は、コンテンツの一部を提供する際に、当該コンテンツの一部を提供することに対する課金情報を送信する。課金情報としては、提供したコンテンツの名称、コンテンツの販売元アドレス、コンテンツの正規代金、立ち読み課金額、第１の端末装置２０のユーザＩＤ、および支払に関する情報等が含まれる。そして、第２の端末装置３０からコンテンツを要求される際にはユーザＩＤが送信されてきており、一部コンテンツ提供手段２４は、コンテンツの提供先である第２の端末装置３０のユーザＩＤと、対象となるコンテンツの名称と、立ち読み課金額と、を関連付けて立ち読み課金データベース２０２に記憶させる。
【００４５】
第２の報酬取得手段２５は、上述した課金情報に基づいて第２の端末装置３０から支払われた報酬の一部を取得する。本実施形態では、第２の端末装置３０が支払う立ち読み課金額（報酬）はコンテンツ販売装置１０に支払われ、コンテンツ販売装置１０の第１の報酬取得手段１３により第１の端末装置２０に一部が分配されるため、第２の報酬取得手段２５は、コンテンツ販売装置１０から報酬を取得する。また、第２の報酬取得手段２５は、報酬を取得すると、立ち読み課金データベース２０２に記憶されたデータのうち、当該報酬の対象となったコンテンツ名と第２の端末装置３０のユーザＩＤとが関連付けられたデータの報酬として取得した金額を記憶させる。
【００４６】
第２の端末装置３０としては、第１の端末装置２０と同様に、例えば、携帯電話、スマートフォン、モバイルコンピュータなどを使用することができ、ＲＡＭ（Random Access Memory）やＲＯＭ（Read Only Memory）等の記憶手段と、ＣＰＵ（Central Processing Unit）等の制御手段と、を備えている。ＲＡＭおよびＲＯＭには、各種制御を行うプログラム、各種アプリケーション、各種データ等が格納されており、ＣＰＵはこれらの記憶手段に格納されているプログラムを読み出し、このプログラムに従って各種処理を行う。また、第１の端末装置２０は、図示しないが、ディスプレイ等の出力手段と、キーボード、タッチパネル等の入力手段と、を備えている。
【００４７】
第２の端末装置３０の記憶手段には、一部コンテンツデータベース３０１が記憶されている。
一部コンテンツデータベース３０１は、以下の表５に示すように、取得したコンテンツの名称と、コンテンツの販売元アドレスと、コンテンツの取得先となる端末装置のユーザＩＤと、立ち読み課金額と、が関連付けられて１つのレコードとして記憶されたテーブル構造となっている。ユーザＩＤは一部コンテンツを提供した端末装置のユーザＩＤである。立ち読み課金額は、コンテンツの一部を取得したことに対して課金された金額である。なお、項目はここに列挙したものに限られず、その他の項目を適宜追加してもよい。
【００４８】
【表５】
2012215931.tif 000007
【００４９】
また、第２の端末装置３０は、制御手段の機能構成として、インターネット２を介して各種データを送受信する送受信手段３１と、端末装置間で通信を行う近距離通信手段３２と、第１の端末装置２０からコンテンツの一部を購入する一部コンテンツ購入手段３３と、コンテンツ販売装置１０からコンテンツを購入する第２のコンテンツ購入手段３４と、ユーザの入力操作を受け付けるユーザ操作受付手段３５と、を備えている。
【００５０】
送受信手段３１は、インターネット２を介して接続された各種装置と各種データの送受信を行う。以降説明する各手段のインターネット２を介したデータのやり取りは、この送受信手段３１を介して行われるものである。
近距離通信手段３２は、予め決められた範囲内の他の端末装置との通信を可能にし、第１の端末装置２０との通信を行う。
【００５１】
一部コンテンツ購入手段３３は、第１の端末装置２０に対してコンテンツの提供を要求する要求部３３１と、第１の端末装置２０から送信されたコンテンツを取得する取得部３３２と、第１の端末装置２０から送信された課金情報に基づいて支払処理を行う支払部３３３と、を備えている。
要求部３３１は、後述するユーザ操作受付手段３５で受け付けた操作に応じて、所定範囲内に存在する第１の端末装置２０を近距離通信手段３２により検出し、検出した第１の端末装置２０に対してディスプレイに表示中のコンテンツの提供を要求する。なお、第１の端末装置２０を検出できない場合は処理を終了する。
【００５２】
取得部３３２は、第１の端末装置２０から送信されるコンテンツを、近距離通信手段３２を介して取得し、当該コンテンツとともに送信される課金情報に基づいて、コンテンツ名、販売元アドレス、正規代金、取得先である第１の端末装置２０のユーザＩＤ、および立ち読み課金額を一部コンテンツデータベース３０１に記憶させる。
支払部３３３は、課金情報に含まれる販売元アドレスに基づき、インターネット２を介してコンテンツ販売装置１０に接続し、立ち読み課金額をコンテンツ販売装置１０に対して支払う。支払方法は、クレジット決済、電子マネー等の一般的に用いられている方法で支払うことができる。このとき、対象となるコンテンツ名と第２の端末装置３０のユーザＩＤと、コンテンツの取得先である第１の端末装置２０のユーザＩＤと、をコンテンツ販売装置１０へ送信する。
【００５３】
第２のコンテンツ購入手段３４は、第１の端末装置２０から取得したコンテンツを閲覧したユーザの操作に応じて、当該コンテンツを販売するコンテンツ販売装置１０が提供する販売サイトにインターネット２を介して接続し、当該コンテンツの購入処理を行う。なお、コンテンツ販売装置１０への接続先アドレスは、コンテンツを取得した際に第１の端末装置２０から送信されるものである。
【００５４】
ユーザ操作受付手段３５は、ユーザによる入力手段の操作を受け付ける。例えば、ユーザが他の端末装置からコンテンツを取得したい場合に、コンテンツの取得要求を受け付けたり、ユーザがコンテンツを正規購入したい場合に、コンテンツの販売サイトへの接続要求を受け付けたりする。
【００５５】
［コンテンツ販売システム１の動作］
次に、コンテンツ販売システム１の動作を図２のフローチャートに基づいて説明する。
図２に示すフローチャートは、第１の端末装置２０がコンテンツ販売装置１０からコンテンツを正規購入する動作、第２の端末装置３０が第１の端末装置２０からコンテンツの一部を取得する動作、および第２の端末装置３０がコンテンツ販売装置１０にアクセスしてコンテンツを正規購入する動作が含まれている。
【００５６】
まず、第１の端末装置２０がコンテンツ販売装置１０からコンテンツを正規購入する動作について説明する。
第１の端末装置２０は、ユーザ操作に応じて、コンテンツ販売装置１０が提供する販売サイトへアクセスする。そして、第１のコンテンツ購入手段２３は、ユーザ操作によって指定されたコンテンツの購入をコンテンツ販売装置１０に対して要求する（ステップＳ１）。このとき、第１の端末装置２０のユーザＩＤがコンテンツ販売装置１０に送信される。
コンテンツ販売装置１０は、購入要求を受信する（ステップＳ２）と、コンテンツ販売手段１２が当該コンテンツおよび当該コンテンツに対する課金情報を第１の端末装置２０へ送信する（ステップＳ３）。このとき、コンテンツ販売手段１２は、第１の端末装置２０のユーザＩＤと、送信したコンテンツの名称と、当該コンテンツの正規代金と、を関連付けて課金データベース１０２に記憶させる。
【００５７】
第１の端末装置２０は、コンテンツおよび課金情報を受信する（ステップＳ４）と、第１のコンテンツ購入手段２３は、課金情報に基づいて当該コンテンツの正規代金をコンテンツ販売装置１０に対して支う（ステップＳ５）。このとき、第１のコンテンツ購入手段２３は、購入したコンテンツの名称と、コンテンツの販売元アドレスと、コンテンツの正規代金と、取得したコンテンツデータと、を関連付けて購入コンテンツデータベース２０１に記憶させる。以上の支払処理により、第１の端末装置２０では、当該コンテンツを閲覧できるようになる（ステップＳ６）。
一方、コンテンツ販売装置１０では、コンテンツ販売手段１２が、第１の端末装置２０からの支払処理によりコンテンツの正規代金を取得する（ステップＳ７）。
【００５８】
次に、第２の端末装置３０が第１の端末装置２０からコンテンツの一部を取得する動作について説明する。ここでは、第１の端末装置２０のディスプレイで正規購入したコンテンツを閲覧中の状態から開始する。第２の端末装置３０のユーザは、第１の端末装置２０のディスプレイに表示されたコンテンツを見て、当該コンテンツを第２の端末装置３０で閲覧したい場合に第２の端末装置３０を第１の端末装置２０の所定範囲内、例えば半径１ｍ以内となる位置に移動させ、図示しない入力手段を操作して当該コンテンツの取得を要求する。
【００５９】
第２の端末装置３０は、ユーザ操作受付手段３５で受け付けたユーザ操作に応じて、近距離通信手段３２が、所定範囲内にある第１の端末装置２０を検出する。なお、端末装置を検出できない場合は以降の処理は行わない。そして、要求部３３１は、第１の端末装置２０に近距離通信手段３２を介して接続し、ディスプレイに表示中のコンテンツを要求する（ステップＳ８）。
第１の端末装置２０は、コンテンツの要求を受信する（ステップＳ９）と、一部コンテンツ提供手段２４が、ディスプレイに表示中のコンテンツとこのコンテンツに対する課金情報とを近距離通信手段２２を介して第２の端末装置３０に送信する（ステップＳ１０）。課金情報としては、コンテンツ名、コンテンツの販売元アドレス、第１の端末装置２０のユーザＩＤ、および立ち読み課金額である。
【００６０】
第２の端末装置３０では、取得部３３２がコンテンツと課金情報とを受信し（ステップＳ１１）、取得した課金情報を、一部コンテンツデータベース３０１に記憶させる。そして、支払部３３３は、課金情報に基づいてコンテンツ販売装置１０にインターネット２を介して接続し、立ち読み課金額をコンテンツ販売装置１０に対して支払う（ステップＳ１２）。このとき、コンテンツの取得先である第１の端末装置２０のユーザＩＤを同時に送信する。
【００６１】
コンテンツ販売装置１０では、第１の報酬取得手段１３が第２の端末装置３０から支払われた立ち読み課金（報酬）を取得する（ステップＳ１３）。このとき、第１の報酬取得手段１３は、第２の端末装置３０のユーザＩＤと、対象となるコンテンツの名称と、第２の端末装置３０が支払った立ち読み課金額と、を関連付けて課金データベース１０２に記憶させる。
そして、第１の報酬取得手段１３は、同時に取得した第１の端末装置２０のユーザＩＤに基づいて第１の端末装置２０に接続し、取得した報酬の一部をインターネット２を介して分配する（ステップＳ１４）。このとき、第１の報酬取得手段１３は、第１の端末装置２０に分配した金額を差し引いた後の金額を、課金データベース１０２の第２の端末装置３０のユーザＩＤと当該コンテンツ名に関連付けられたデータの報酬として記憶させる。
【００６２】
第１の端末装置２０では、第２の報酬取得手段２５がコンテンツ販売装置１０から分配された報酬を受信し（ステップＳ１５）、受け取った金額を、購入コンテンツデータベース２０１の当該コンテンツ名と第２の端末装置３０のユーザＩＤに関連付けられたデータの報酬として記憶させる。
【００６３】
次に、第２の端末装置３０がコンテンツ販売装置１０にアクセスしてコンテンツを正規購入する動作について説明する。
第２の端末装置３０で取得したコンテンツは、第１の端末装置２０のディスプレイに表示されていた部分のみであるため、コンテンツの全体を閲覧することはできない。したがって、ユーザは、当該コンテンツの全体を閲覧したい場合は、当該コンテンツを正規購入する操作を行う。
第２の端末装置３０では、ユーザ操作受付手段３５で受け付けたユーザ操作に応じて、第２のコンテンツ購入手段３４が当該コンテンツの接続先アドレスにインターネット２を介して接続して、コンテンツの購入を要求する（ステップＳ１６）。
【００６４】
コンテンツ販売装置１０は、購入要求を受信する（ステップＳ１７）と、コンテンツ販売手段１２が、当該コンテンツおよび当該コンテンツに対する課金情報を第２の端末装置３０へ送信する（ステップＳ１８）。
第２の端末装置３０は、コンテンツと課金情報とを受信する（ステップＳ１９）と、第２のコンテンツ購入手段３４が課金情報に基づき、当該コンテンツの正規代金をコンテンツ販売装置１０に対して支払う（ステップＳ２０）。
コンテンツ販売装置１０では、コンテンツ販売手段１２が、第２の端末装置３０から支払われた代金を取得する（ステップＳ２１）。
【００６５】
［第１実施形態の作用効果］
以上の第１実施形態によれば、以下の作用効果を奏することができる。
コンテンツ販売装置１０から第１の端末装置２０によって正規購入されたコンテンツは第１の端末装置２０のディスプレイに画面表示され、この画面表示されたコンテンツを見た別のユーザは、第２の端末装置３０を用いて第１の端末装置２０に表示中のコンテンツを取得でき、第２の端末装置３０で当該コンテンツを閲覧することができる。第２の端末装置３０は、取得したコンテンツの立ち読み料（報酬）をコンテンツ販売装置１０に支払い、コンテンツ販売装置１０は、報酬の一部を第１の端末装置２０に対して分配する。
【００６６】
したがって、第２の端末装置３０のユーザは、別のユーザの端末装置に表示されたコンテンツを自身の端末装置に取り込んで簡単に立ち読みすることができ、ユーザの利便性が向上する。また、コンテンツを正規購入した第１の端末装置２０が広告媒体となり、第１の端末装置２０からコンテンツを取得した第２の端末装置３０が立ち読み料を支払うことで、その立ち読み料の一部が第１の端末装置２０のアフィリエイト収入となり、正規購入者にメリットが生じる。また、コンテンツ販売装置１０で取得した報酬は著作権者にも支払われ、著作権者のライセンス収入となり、著作権者にもメリットが生じる。
【００６７】
また、第１の端末装置２０から第２の端末装置３０に提供されるのは、第１の端末装置２０のディスプレイに表示中のコンテンツ、すなわちコンテンツの一部であるため、第２の端末装置３０のユーザが当該コンテンツの他の部分をさらに閲覧したい場合は、販売サイトにアクセスして当該コンテンツを正規購入することができる。したがって、ユーザにとっての利便性が高い。
【００６８】
さらに、第１の端末装置２０のユーザは、上述したようなアフィリエイト収入を得ることができるため、正規購入したコンテンツを周囲の人に見えるようにするなど、広告媒体として十分に機能させる環境を作り易くなる。したがって、広告効果をさらに向上させることができる。
【００６９】
＜第２実施形態＞
第１実施形態では、第２の端末装置３０からコンテンツ販売装置１０に対して報酬の全額を支払った後、コンテンツ販売装置１０が報酬の一部を第１の端末装置２０に分配するのに対し、第２実施形態では、第２の端末装置３０から第１の端末装置２０に対して報酬の全額を支払った後、第１の端末装置２０が報酬の一部をコンテンツ販売装置１０に分配する。なお、第１実施形態と同様の構成および動作については説明を省略する。
【００７０】
コンテンツ販売装置１０の第１の報酬取得手段１４は、第２の端末装置３０が第１の端末装置２０から取得したコンテンツの一部に対する立ち読み課金額（報酬）の一部を取得する。第２実施形態では、第２の端末装置３０は、第１の端末装置２０に対して立ち読み課金（報酬）を支払うため、第１の端末装置２０から報酬の一部がコンテンツ販売装置１０に分配される。したがって、第１の報酬取得手段１４は、第１の端末装置２０から分配される報酬を取得する。
【００７１】
第１の端末装置２０の第２の報酬取得手段２６は、第２の端末装置３０から支払われる立ち読み課金（報酬）を取得し、この報酬の一部をインターネット２を介してコンテンツ販売装置１０に分配する。すなわち、第２実施形態では、第２の報酬取得手段２６が本発明の報酬管理手段として機能する。
【００７２】
第２の端末装置３０の支払部３３４は、取得したコンテンツの一部とともに送信されてくる課金情報に基づいて、近距離通信手段を介して第１の端末装置２０に立ち読み課金額（報酬）を支払う。支払方法は、クレジット決済、電子マネー等の一般的に用いられている方法で支払うことができる。
【００７３】
以上の構成のコンテンツ販売システムでは、第２の端末装置３０が第１の端末装置２０からコンテンツの一部と課金情報とを取得した後、以下の動作を行う。
すなわち、支払部３３４は、課金情報に基づき、近距離通信手段３２を介して第１の端末装置２０に接続し、立ち読み課金額（報酬）を支払う。
【００７４】
第１の端末装置２０では、第２の報酬取得手段２６が報酬を取得すると、報酬の一部をコンテンツ販売装置１０へインターネット２を介して分配する。
コンテンツ販売装置１０では、第１の報酬取得手段１４が分配された報酬を取得する。
以上の第２実施形態によれば、第１実施形態と同様の作用効果を奏することができる。
【００７５】
＜変形例＞
なお、本発明は、上述した実施形態に限定されるものではなく、本発明の目的を達成できる範囲で、以下に示される変形をも含むものである。
例えば、上記実施形態において、第２の端末装置３０が第１の端末装置２０からコンテンツの一部を取得して第２の端末装置３０で閲覧する際、第２の端末装置３０と第１の端末装置２０との距離が所定範囲を超えると、当該コンテンツを第２の端末装置３０から削除する手段を備えていてもよい。これによれば、コンテンツの一部を閲覧できる時間および位置が限られてしまうため、ユーザの購買意欲を刺激することができ、コンテンツ全体の販売促進を図ることができる。
【００７６】
また、上記実施形態では、第１の端末装置２０と第２の端末装置３０とが別々の機能を持つ構成であったが、第２の端末装置３０が、第１の端末装置２０の機能、すなわち第１のコンテンツ購入手段２３、一部コンテンツ提供手段２４、および第２の報酬取得手段２５をさらに備える構成であってもよい。また、第１の端末装置２０が、第２の端末装置３０の機能、すなわち一部コンテンツ購入手段３３および第２のコンテンツ購入手段３４をさらに備える構成であってもよい。このような構成であれば、第１の端末装置２０が他の端末装置に画面表示されたコンテンツの一部を購入することもできるし、第２の端末装置３０が広告媒体となって、正規購入したコンテンツの一部を他の端末装置に提供することもできる。
【００７７】
上記実施形態において、第１の端末装置２０の第１のコンテンツ購入手段２３、一部コンテンツ提供手段２４、および第２の報酬取得手段２５の機能は、アプリケーションプログラム（ビューア）として提供されるものであってもよい。同様に、第２の端末装置３０の一部コンテンツ購入手段３３、第２のコンテンツ購入手段３４、およびユーザ操作受付手段３５の機能は、アプリケーションプログラム（ビューア）として提供されるものであってもよい。
【００７８】
上記実施形態において、第２の端末装置２０から近距離の位置に複数の端末装置が存在する場合は、取得可能なコンテンツのタイトルやキャプチャ画像を事前に確認した上で購入することが好ましい。
例えば、上述した動作のステップＳ８で第２の端末装置３０が第１の端末装置２０に対してコンテンツを要求すると、第１の端末装置２０はまずコンテンツのタイトルのみを第２の端末装置３０に提供する。そして、第２の端末装置３０の出力手段３６には、図３（Ａ）に示すような画面が表示され、ユーザはこれから取得しようとするコンテンツのタイトルを確認できる。画面上の「する」ボタンを押す操作によって、当該コンテンツの一部が第１の端末装置２０から第２の端末装置３０に提供され、第２の端末装置３０の出力手段３６には、図３（Ｂ）に示すように取得したコンテンツの一部が画面表示される。一方、取得したいコンテンツが異なる場合は、「しない」ボタンを押す操作のあと、再度別の端末装置を探してコンテンツを要求する。
また、第２の端末装置２０の近距離に位置する全ての端末装置から取得可能なコンテンツのタイトルを取得し、第２の端末装置２０にタイトルの一覧を画面表示させてもよい。この場合、ユーザが一覧の中から取得したいコンテンツを選択する操作により、第２の端末装置３０は選択されたコンテンツを所有する端末装置に接続し、当該コンテンツの一部を要求する。
【産業上の利用可能性】
【００７９】
本発明は、コンテンツを販売するコンテンツ配信システム、およびコンテンツ配信方法として利用することができる。
【符号の説明】
【００８０】
１…コンテンツ販売システム
１０…コンテンツ販売装置
１２…コンテンツ販売手段
１３…第１の報酬取得手段
２０…第１の端末装置
２２…近距離通信手段
２３…第１のコンテンツ購入手段
２４…一部コンテンツ提供手段
２５…第２の報酬取得手段
３０…第２の端末装置
３２…近距離通信手段
３３…一部コンテンツ購入手段
３４…第２のコンテンツ購入手段
１０１…コンテンツデータベース
１０２…課金データベース
２０１…購入コンテンツデータベース
３０１…一部コンテンツデータベース
【図１】
2012215931.tif 000008
【図２】
2012215931.tif 000009
【図３】
2012215931.tif 000010